(57)【特許請求の範囲】
【請求項１】
鍵盤の一端部を突上げ付勢して自動演奏を行ない得るようにした自動演奏ピアノであって、
鍵盤の一端部を突上げ付勢するためのソレノイドの手前至近位置において棚板上に固定され、前記鍵盤を支持する筬の端部と当接して前記鍵盤の前後方向位置を規定する当接部と、前記棚板よりも高くせり上がり前記筬の下端部が乗り上がるようにした起伏部と、を有する位置決め手段を備えるとともに、前記筬の前記起伏部に対応する部位に凹陥部を設け、前記筬が前記位置決め手段によって位置決めされる際、該筬が前記棚板から一時的に浮上するようにしたことを特徴とする自動演奏ピアノ。
【請求項２】
前記筬の後部両側付近に一対の前記位置決め手段が配置されることを特徴とする請求項１に記載の自動演奏ピアノ。
【発明の詳細な説明】
【０００１】
【発明の属する技術分野】
本発明は、好適にはグランドピアノ等の自動演奏ピアノ、特に鍵盤およびアクションまわりをピアノ本体から出し入れするための鍵盤およびアクションまわりの挿脱機構に関するものである。
【０００２】
【従来の技術】
この種の自動演奏ピアノにおいて、鍵盤の自動演奏装置は、各鍵盤の後端部の下に鍵盤を駆動するためのソレノイドが設置されている。各鍵盤は中央部付近にその回転中心を有し、旋律もしくはメロディに合わせてソレノイドが通電されることによってプランジャが上方向に移動して鍵盤の後端部を下から押し上げるようになっている。これにより鍵盤と連動するアクション機構のハンマが弦をたたいて振動させる。
【０００３】
たとえば、図４は、自動演奏ピアノの鍵盤およびアクション機構まわりを示しており、図４において棚板１上に筬２を介して、所定数の鍵盤３が列設配置される。各鍵盤３は、筬中２ａを支点にしてシーソー運動するように筬２によって支持されている。棚板１の取付用の溝１ａにはプランジャ４ａが鍵盤３の後端部を押し上げるように配置されたソレノイド４が装着される。
【０００４】
ソレノイド４に通電することで鍵盤３の後端部が押し上げられ、アクション機構５のハンマ５ａが弦６をたたく。この場合、鍵盤３と筬２の間にはクッション７（図５参照）が介挿されており、鍵盤３の後端部が落下する際の雑音発生を防いでいる。
【０００５】
ところで、整調等を行う場合、鍵盤３およびアクション機構５がピアノ本体から抜き出される。この場合、筬２を棚板１上で滑らせて手前に引き出す。鍵盤３が引き出されることで、その押圧荷重から解放されたプランジャ４ａは２〜３ｍｍ程度浮き上がってくる。このため整調等の終了後、鍵盤３を再びピアノ本体に戻し入れるとき、そのまま引き出す場合と同様に筬２を棚板１上で滑らせたのでは、鍵盤３が浮き上がっているプランジャ４ａにぶつかってしまう。
【０００６】
【発明が解決しようとする課題】
このように鍵盤３およびアクション機構５まわりをピアノ本体から出し入れする場合、たとえば図５に示されるようにソレノイド４を列設支持するレール８全体を一旦、数ｍｍ程度下げておき、鍵盤３をピアノ本体に戻し入れるときにプランジャ４ａにぶつからないようにすることができる。しかしながら、そのためにレール８を再び上げてソレノイド４を元の位置に戻さなければならず、このように手間のかかる作業となっていた。
【０００７】
本発明はかかる実情に鑑み、円滑かつ的確にアクション機構を出し入れ可能な自動演奏ピアノを提供することを目的とする。
【０００８】
【課題を解決するための手段】
本発明による自動演奏ピアノは、鍵盤の一端部を突上げ付勢して自動演奏を行ない得るようにした自動演奏ピアノであって、鍵盤の一端部を突上げ付勢するためのソレノイドの手前至近位置において棚板上に固定され、前記鍵盤を支持する筬の端部と当接して前記鍵盤の前後方向位置を規定する当接部と、前記棚板よりも高くせり上がり前記筬の下端部が乗り上がるようにした起伏部と、を有する位置決め手段を備えるとともに、前記筬の前記起伏部に対応する部位に凹陥部を設け、前記筬が前記位置決め手段によって位置決めされる際、該筬が前記棚板から一時的に浮上するようにしたものである。
【０００９】
また、本発明の自動演奏ピアノにおいて、前記筬の後部両側付近に一対の前記位置決め手段が配置されることを特徴とする。
【００１０】
本発明によれば、鍵盤およびアクション機構まわりをピアノ本体から出し入れする際、鍵盤を支持する筬が位置決め手段によって所定位置に位置決めされる、その至近位置で棚板から一時的に浮上する。このように筬を浮上させることで鍵盤をソレノイドに衝突することなく、適正位置に安定的に配置することができる。
【００１１】
この場合、従来のようにソレノイドを下降させる機構およびその作業の手間を省き、あるいはソレノイドの至近位置で鍵盤およびアクション機構まわりを持ち上げる等の作業を不要とし、したがって簡単な構成でありながら円滑かつ的確にアクション機構を出し入れすることができる。
【００１２】
【発明の実施の形態】
以下、図１〜図３に基づき従来例と実質的に同一または対応する部材には同一符号を用いて、本発明による自動演奏ピアノの好適な実施の形態を説明する。
【００１３】
この実施形態において、好適にはグランドピアノ等の自動演奏ピアノに本発明を適用するものとし、したがって、前述のように棚板１上に筬２を介して、所定数の鍵盤３が列設配置される。各鍵盤３は、筬中２ａを支点にしてシーソー運動するように筬２によって支持されている。棚板１の取付用の溝１ａにはプランジャ４ａが鍵盤３の後端部を押し上げるように配置されたソレノイド４が装着される。そして、ソレノイド４に通電することで鍵盤３の後端部が押し上げられ、アクション機構５のハンマ５ａが弦６をたたくようになっている。
【００１４】
図１は、本発明の要部構成を示している。図において、棚板１の所定位置に鍵盤３の前後方向（両矢印Ｆ，Ｒ）の位置を規定する位置決め手段９を有する。この実施形態では位置決め手段９は、ソレノイド４が装着される溝１ａの前側至近位置に配置された金具１０で構成される。金具１０はビス１１によって棚板１の取付部１ｂに固定され、当接部１０ａに筬２の端部を当接させることで鍵盤３の前後方向を位置決めすることができる。なお、取付部１ｂは、図示のように棚板１の上表面から僅かにへこんだかたちで形成される。
【００１５】
金具１０は棚板１の上表面よりも高くせり上がった起伏部１０ｂを有し、この起伏部１０ｂに筬２の下端部が当接するようになっている。起伏部１０ｂの形状は好適には、図示例のように比較的なだらかなスロープ状に形成された山形とする。なお、円弧状あるいは適宜の湾曲形状等であってもよい。
【００１６】
一方、筬２の適所、すなわち筬２の下面に起伏部１０ｂに対応する凹陥部２ａが設けられる。凹陥部２ｂは金具１０の起伏部１０ｂにほぼ整合するように形成され、筬２の端部が金具１０の当接部１０ａに当接したとき起伏部１０ｂがぴったりと嵌まるようにするのが好ましい。なお、筬２の凹陥部２ｂを金具１０の起伏部１０ｂよりもひとまわり程度大きく形成しても差し支えない。
【００１７】
また、本実施形態においては、図２に示すように筬２の後部両側付近に一対の金具１０が配置されるものとする。なお、３つ以上の金具１０を設けても差し支えないが、スペース等の関係で適宜設定可能である。
【００１８】
上記構成において、鍵盤３およびアクション機構５まわりをピアノ本体から出し入れする際、筬２を棚板１上で滑らせて全体をそっくり前後に移動させる。たとえば、図３（Ａ）のように筬２を押し込む場合、筬２の下端部が金具１０の起伏部１０ｂに当接する。なお、このとき前述したようにソレノイド４を支持するレール８を下げておく必要はない。
【００１９】
筬２をさらに押し込むと、その下端部が金具１０の起伏部１０ｂに沿って摺接することで、図３（Ｂ）のように筬２が起伏部１０ｂに乗り上がる。これにより鍵盤３もソレノイド４のプランジャ４ａを避けるように浮上し、プランジャ４ａ上方に移動する。
【００２０】
図３（Ｃ）のように筬２は、その端部が金具１０の当接部１０ａに当接すると共に、起伏部１０ｂが凹陥部２ｂにぴったりと嵌まり込むように落ち込む。これにより筬２、したがって鍵盤３およびアクション機構５は、適正位置に安定的に配置される。鍵盤３の端部は図示のように、プランジャ４ａ上に載っており、この状態で自動演奏が可能になる。
【００２１】
また、上記とは逆に鍵盤３およびアクション機構５まわりをピアノ本体から引き出す場合には、図３（Ｃ）の状態から筬２、したがって鍵盤３が浮上し始め、鍵盤３およびプランジャ４ａを相互に干渉させることなく円滑に引き出すことができる。このように鍵盤３の出し入れ時、所定位置に位置決めする際に棚板１から一時的に筬２を浮上させることで鍵盤３をソレノイド４に衝突することなく、適正かつ安定的に配置することができる。
【００２２】
上記実施形態において、位置決め手段９を金具１０により構成する例を説明したが、金具１０と実質的に同形状のものをたとえばプラスチックあるいは適宜の樹脂材料により形成することもできる。
【００２３】
【発明の効果】
以上説明したように本発明によれば、この種の自動演奏ピアノにおいて鍵盤およびアクションまわりをピアノ本体から出し入れする際、比較的簡易な構成により使用性および取扱性等に優れた挿脱機構を実現することができる。従来例に比べて機構的およびその作業的に大幅に簡単化し、しかも円滑かつ的確にアクション機構を出し入れすることができる等の利点を有している。
【図面の簡単な説明】
【図１】本発明の自動演奏ピアノの実施形態における要部構成を示す図である。
【図２】本発明の自動演奏ピアノの実施形態における位置決め手段の配置例等を示す平面図である。
【図３】本発明の自動演奏ピアノの実施形態における作用を示す図である。
【図４】従来の自動演奏ピアノにおける鍵盤およびアクション機構まわりを示す図である。
【図５】従来の自動演奏ピアノにおける鍵盤およびソレノイドの配置関係等を示す図である。
【符号の説明】
１    棚板
２    筬
２ａ  筬中
２ｂ  凹陥部
３    鍵盤
４    ソレノイド
４ａ  プランジャ
５    アクション機構
５ａ  ハンマ
６    弦
７    クッション
８    レール
９    位置決め手段
１０    金具
１０ａ  当接部
１０ｂ  起伏部
１１    ビス
【図１】
0003547597.tif 000002
【図２】
0003547597.tif 000003
【図３】
0003547597.tif 000004
【図４】
0003547597.tif 000005
【図５】
0003547597.tif 000006